(57)【特許請求の範囲】
【請求項１】
後方に開口する心線挿入口と、前記心線挿入口に連通するとともに上面に開口する接着剤充填窓と、横一列に並んでフェルール前方端面に開口する、長手方向全体が同一内径の複数の光ファイバ穴と、その両側の位置決め用の嵌合ピン穴とを備えた嵌合ピン穴位置決め方式の樹脂製の多心光コネクタであって、
フェルールに、フェルール上面に開口して前記複数の光ファイバ穴のそれぞれの長さ方向中間部分のみを露出させる態様の光ファイバ押付け用窓部を、前記接着剤充填窓の前方に形成して、前記光ファイバ押付け用窓部と接着剤充填窓との間に前記複数の光ファイバ穴の挿入側部分を残し、前記光ファイバ押付け用窓部から挿入した光ファイバ押さえ部材により、前記複数の光ファイバ穴を挿通している複数の光ファイバのすべてを一括して押し下げて前記複数の光ファイバ穴の底面に押し付けることで、すべての光ファイバがそれぞれの光ファイバ穴内において同じ方向に偏って穴壁に接触している状態で、前記複数の光ファイバを前記複数の光ファイバ穴にそれぞれ接着固定したことを特徴とする多心光コネクタ。
【請求項２】
前記光ファイバ押付け用窓部は、フェルール長手方向寸法がフェルール厚み方向寸法より小であることを特徴とする請求項１記載の多心光コネクタ。
【請求項３】
前記光ファイバ押付け用窓部が接着剤充填窓の幅とほぼ同一の幅を有することを特徴とする請求項１又は２記載の多心光コネクタ。
【請求項４】
横一列の光ファイバ穴の中心を結ぶ光ファイバ穴中心線が、左右の嵌合ピン穴の中心を結ぶ嵌合ピン穴中心線に対して、光ファイバ穴と光ファイバとの間のクリアランス量ｃの概ね２分の１だけ上下方向にずれていることを特徴とする請求項１〜３のいずれか1項に記載の多心光コネクタ。
【請求項５】
斜め研磨の多心光コネクタに適用され、横一列の光ファイバ穴の中心を結ぶ光ファイバ穴中心線が、左右の嵌合ピン穴の中心を結ぶ嵌合ピン穴中心線に対して、光ファイバ穴と光ファイバとの間のクリアランス量ｃの概ね２分の１に、嵌合ピン穴と嵌合ピンとの間のクリアランス量の概ね２分の１を加えたクリアランス合計量だけ上下方向にずれていることを特徴とする請求項４記載の多心光コネクタ。
【請求項６】
後方に開口する心線挿入口と、前記心線挿入口に連通するとともに上面に開口する接着剤充填窓と、横一列に並んでフェルール前方端面に開口する、長手方向全体が同一内径の複数の光ファイバ穴と、その両側の位置決め用の嵌合ピン穴とを備えた嵌合ピン穴位置決め方式の樹脂製の多心光コネクタを組み立てる多心光コネクタの組立方法であって、
フェルールに、フェルール上面に開口して前記複数の光ファイバ穴のそれぞれの長さ方向中間部分のみを露出させる態様の光ファイバ押付け用窓部を、前記接着剤充填窓の前方に形成して、前記光ファイバ押付け用窓部と接着剤充填窓との間に前記複数の光ファイバ穴の挿入側部分を残し、前記光ファイバ押付け用窓部から挿入した光ファイバ押さえ部材により、前記複数の光ファイバ穴を挿通している複数の光ファイバのすべてを一括して押し下げて前記複数の光ファイバ穴の底面に押し付けることで、すべての光ファイバがそれぞれの光ファイバ穴内において同じ方向に偏って穴壁に接触している状態で、前記複数の光ファイバを前記複数の光ファイバ穴にそれぞれ接着固定することを特徴とする多心光コネクタの組立方法。
【発明の詳細な説明】
【技術分野】
【０００１】
この発明は、横一例に並ぶ複数の光ファイバ穴の両側に嵌合ピン穴を備えた嵌合ピン穴位置決め方式の樹脂製の多心光コネクタ、及びこれを組み立てる多心光コネクタの組立方法に関する。
【背景技術】
【０００２】
横一例に並ぶ複数の光ファイバ穴の両側に嵌合ピン穴を備えた嵌合ピン穴位置決め方式の樹脂製の多心光コネクタは、JIS C 5981のＦ１２形多心光ファイバコネクタに相当し、一般にＭＴコネクタと称されている。このＭＴコネクタに限らず、光コネクタはフェルールにあけた光ファイバ穴に光ファイバを挿入固定した構造となるが、光ファイバ穴と光ファイバとの間には必ず一定のクリアランスを設ける必要がある。したがって、光ファイバが光ファイバ穴内で偏って設計上の光ファイバ中心位置から偏心する可能性がある。光ファイバが設計上の中心位置から偏心していると、光コネクタ接続に際してコアずれにより接続損失が増す。
光コネクタ製造に際して、品質管理のために偏心量等を測定する方法あるいは装置は種々提案され特許出願されている（特許文献１、特許文献２）が、光ファイバがクリアランスに起因して設計上の中心から偏心すること自体を防止することが望ましい。
【０００３】
特許文献１（特許３２５６２８６号：光コネクタのコア偏心測定方法及び光コネクタ製造方法）は、光ファイバ穴に光ファイバを挿入し、光ファイバからの出射光を受光器でモニタして偏心量測定するものであり、特許文献２（特開平６−１４８０２９：光ファイバの傾斜角測定方法および光コネクタ）は、光ファイバ穴内で傾いている光ファイバ傾斜角を測定するものである。
また、特許文献３、特許文献４は、本発明のような光ファイバ穴と光ファイバとのクリアランスに伴う光ファイバ偏心を問題とするものではないが、フェルールの前方端面に段差部を設ける点で本発明の一部と共通するので、特許文献として記載した。特許文献３（特開平１１−３５２３５８：光コネクタの製造方法および光コネクタフェルール）は、光ファイバ内蔵型の光フェルールを作るために、端面側から光ファイバを挿入するというものであるが、前方端面に光ファイバを挿入し易くするためにテーパ挿入部付きの段付き面となっている。光ファイバ取り付け後、段付き面は研磨除去される。また、特許文献４（特開平１０−１２２３６４：光コネクタのフェルール部品およびその部品を用いた光コネクタの製造方法）は、光コネクタ先端をフラット面と斜め面とし、フラット面を削り代としている。
【特許文献１】特許３２５６２８６号
【特許文献２】特開平６−１４８０２９
【特許文献３】特開平１１−３５２３５８
【特許文献４】特開平１０−１２２３６４
【発明の開示】
【発明が解決しようとする課題】
【０００４】
現在、光コネクタの接続損失は量産品で０．１５ｄＢが実現されているが、光ファイバの偏心（光ファイバの設計上の中心位置からの偏心）をさらに小さくして、接続損失をさらに低減させ、また歩留り向上を可能にすることが望まれる。
光ファイバの偏心をなくすためには、光ファイバ穴との間のクリアランスをさらに小さくすることが考えられるが、現在のＭＴ光コネクタフェルールにおける光ファイバ穴と光ファイバとの間のクリアランスは０．３〜１．５μｍであり、クリアランスをこれ以上減らすと、光ファイバが挿入できなくなるため、現状クリアランスの維持は不可欠である。なお、現状クリアランスでも、光ファイバ挿入の際に光ファイバが光ファイバ穴の途中で引っかかる場合があるため、製造能力向上のためには逆にクリアランスの緩和が求められているという事情もある。
また、光ファイバを光ファイバ穴に挿入固定する際に、クリアランス量を光学的にモニタリングして偏心を小さくすることも考えられる。しかし、光ファイバの径（裸ファイバの径）０．１２５ｍｍに対して光ファイバ穴の径は０．１２５８〜０．１２６５ｍｍの寸法許容差で管理されており、光ファイバ穴とのクリアランスは１μｍ程度なので、通常の測定手段では正確なクリアランスの測定は不可能に近く、クリアランス量を光学的にモニタリングしながら偏心を小さくすることは現実的でない。
【０００５】
本発明は上記事情に鑑みてなされたもので、光ファイバ穴と光ファイバとの間の現状のクリアランスを維持したまま、光ファイバの偏心をさらに小さくすることを可能にする多心光ファイバ、及びこれを組み立てる光コネクタの組立方法を提供することを目的とする。
【課題を解決するための手段】
【０００６】
上記課題を解決する請求項１の発明は、後方に開口する心線挿入口と、前記心線挿入口に連通するとともに上面に開口する接着剤充填窓と、横一列に並んでフェルール前方端面に開口する、長手方向全体が同一内径の複数の光ファイバ穴と、その両側の位置決め用の嵌合ピン穴とを備えた嵌合ピン穴位置決め方式の樹脂製の多心光コネクタであって、
フェルールに、フェルール上面に開口して前記複数の光ファイバ穴のそれぞれの長さ方向中間部分のみを露出させる態様の光ファイバ押付け用窓部を、前記接着剤充填窓の前方に形成して、前記光ファイバ押付け用窓部と接着剤充填窓との間に前記複数の光ファイバ穴の挿入側部分を残し、前記光ファイバ押付け用窓部から挿入した光ファイバ押さえ部材により、前記複数の光ファイバ穴を挿通している複数の光ファイバのすべてを一括して押し下げて前記複数の光ファイバ穴の底面に押し付けることで、すべての光ファイバがそれぞれの光ファイバ穴内において同じ方向に偏って穴壁に接触している状態で、前記複数の光ファイバを前記複数の光ファイバ穴にそれぞれ接着固定したことを特徴とする。
【０００７】
請求項２は、請求項１の多心光コネクタにおいて、前記光ファイバ押付け用窓部は、フェルール長手方向寸法がフェルール厚み方向寸法より小であることを特徴とする。
請求項３は、請求項１又は２の多心光コネクタにおいて、光ファイバ押付け用窓部が接着剤充填窓の幅とほぼ同一の幅を有することを特徴とする。
請求項４は、請求項１〜３のいずれか1項の多心光コネクタにおいて、横一列の光ファイバ穴の中心を結ぶ光ファイバ穴中心線が、左右の嵌合ピン穴の中心を結ぶ嵌合ピン穴中心線に対して、光ファイバ穴と光ファイバとの間のクリアランス量ｃの概ね２分の１だけ上下方向にずれていることを特徴とする。
【０００８】
請求項５は、請求項４の多心光コネクタにおいて、斜め研磨の多心光コネクタに適用され、横一列の光ファイバ穴の中心を結ぶ光ファイバ穴中心線が、左右の嵌合ピン穴の中心を結ぶ嵌合ピン穴中心線に対して、光ファイバ穴と光ファイバとの間のクリアランス量ｃの概ね２分の１に、嵌合ピン穴と嵌合ピンとの間のクリアランス量の概ね２分の１を加えたクリアランス合計量だけ上下方向にずれていることを特徴とする。
【０００９】
請求項６の発明は、後方に開口する心線挿入口と、前記心線挿入口に連通するとともに上面に開口する接着剤充填窓と、横一列に並んでフェルール前方端面に開口する、長手方向全体が同一内径の複数の光ファイバ穴と、その両側の位置決め用の嵌合ピン穴とを備えた嵌合ピン穴位置決め方式の樹脂製の多心光コネクタを組み立てる多心光コネクタの組立方法であって、
フェルールに、フェルール上面に開口して前記複数の光ファイバ穴のそれぞれの長さ方向中間部分のみを露出させる態様の光ファイバ押付け用窓部を、前記接着剤充填窓の前方に形成して、前記光ファイバ押付け用窓部と接着剤充填窓との間に前記複数の光ファイバ穴の挿入側部分を残し、前記光ファイバ押付け用窓部から挿入した光ファイバ押さえ部材により、前記複数の光ファイバ穴を挿通している複数の光ファイバのすべてを一括して押し下げて前記複数の光ファイバ穴の底面に押し付けることで、すべての光ファイバがそれぞれの光ファイバ穴内において同じ方向に偏って穴壁に接触している状態で、前記複数の光ファイバを前記複数の光ファイバ穴にそれぞれ接着固定することを特徴とする。
【発明の効果】
【００１０】
請求項１あるいは請求項５の発明によれば、各光ファイバ穴にそれぞれ挿入固定された光ファイバがすべて、それぞれの光ファイバ穴内において同じ特定方向に偏って穴壁に接触するので、光ファイバの光ファイバ穴内の位置はクリアランス量とは無関係に確定することになる。したがって、フェルール設計上の光ファイバの位置を、そのような光ファイバ穴内の偏った位置に設定することで、実際に組み立てた多心光コネクタにおける光ファイバの位置と設計上の位置とのずれを極力なくすことができる。これにより多心光コネクタの接続損失を一層低減することが可能となる。また、光ファイバ位置のバラツキが小さくなるので、多心光コネクタ製造の歩留りが向上する。
また、光ファイバの位置精度がクリアランス量に影響されないので、光ファイバ穴の許容寸法を大きく設定することが可能となり、光ファイバを光ファイバ穴に挿入する作業が容易になるので、多心光コネクタ組立の作業性が向上する。
また、光ファイバ押付け用窓部から挿入した光ファイバ押さえ部材で光ファイバを光ファイバ穴の底面に押し付け、その状態で光ファイバを光ファイバ穴に接着固定するので、容易にすべての光ファイバを光ファイバ穴の底面に沿わせることができる。
【００１１】
請求項３によれば、光ファイバ穴中心線が嵌合ピン穴中心線に対して、光ファイバ穴と光ファイバとの間のクリアランス量ｃの概ね２分の１だけ上下方向にずれていることで、嵌合ピン穴に対するすべての光ファイバの位置が確定する。したがって、多心光コネクタ接続時の光ファイバのコアずれが小さくなり、接続損失を低減できる。
【００１２】
請求項４によれば、斜め研磨の多心光コネクタに適用した場合に、光ファイバ穴中心線の嵌合ピン穴中心線に対するずれ量に、嵌合ピン穴と嵌合ピンとの間のクリアランス量の概ね２分の１を加味することで、斜め研磨の多心光コネクタの接続に特有の光ファイバコアずれを吸収することができる。
【発明を実施するための最良の形態】
【００１３】
以下、本発明を実施した多心光コネクタ及びその組立方法について、図面を参照して説明する。
【実施例１】
【００１４】
図１は本発明の参考例の多心光コネクタ１の斜視図である（なお、この多心光コネクタ１に、本発明の実施例の多心光ファイバ４１を示す図１３、図１４における光ファイバ押付け用窓部４３及び光ファイバ押さえ部材４４を設けると、本発明の実施例の多心光ファイバ４１と同じ構成になる）。図２は図１の多心光コネクタ１の縦断面図、図３は図１の多心光コネクタ１の光ファイバ穴６に光ファイバ９を挿入固定する状況を説明する図、図４は図３の多心光コネクタ１の正面図である。
この多心光コネクタ１はＰＰＳ（ポニフェニレンスルファイド）等の概ね角形で鍔部３を持つ樹脂成形品であるフェルール２からなり、後方に開口する心線挿入口４、上面に開口する接着剤充填窓５、横一列に並んでフェルール前方端面２ａに開口する、長手方向全体が同一内径の複数の光ファイバ穴６、その両側の嵌合ピン穴７、光ファイバ穴６に光ファイバを案内する光ファイバガイド溝８を備えている。この多心光コネクタ１は、上記の通り横一例に並ぶ複数の光ファイバ穴６の両側に嵌合ピン穴７を備えた嵌合ピン穴位置決め方式の樹脂製の多心光コネクタであり、JIS C 5981のＦ１２形多心光ファイバコネクタに相当し、一般にＭＴコネクタと称されているものである。図示例の多心光コネクタ１は、４心光ファイバテープ心線１０に取り付ける４心光コネクタであり、光ファイバテープ心線１０の心線挿入口４近傍をゴムブーツ１２で保護し、先端側の被覆１０ａを除去した光ファイバ（裸ファイバ）９を光ファイバ穴６に挿入し接着固定する。
【００１５】
この多心光コネクタ１は、前記の通り、図１３、図１４における光ファイバ押付け用窓部４３及び光ファイバ押さえ部材４４が有さない点で本発明と異なるが、光ファイバ穴６及び嵌合ピン穴７については図１３、図１４の本発明の実施例と同じであり、各光ファイバ穴６にそれぞれ挿入した光ファイバ９をすべて、それぞれの光ファイバ穴６内において同じ特定方向に偏って穴壁に接触させた状態で接着固定する。なお、光ファイバ９は光ファイバ穴６の全長に亘って穴壁に接触して完全に傾きのないことが望ましいが、必ずしも穴全長に亘って穴壁に接触している必要はなく、少なくとも接続端面から０．２ｍｍ以上穴壁に接触しておればよい。
図５は光ファイバ９を光ファイバ穴６内で偏らせる態様の一例を示すもので、図４における嵌合ピン穴７と光ファイバ穴６と光ファイバ９との位置関係を模式的に示した図である（なお、光ファイバ穴６及び光ファイバ９は便宜上２つだけを図示している）。この実施例では、横一列の光ファイバ穴６の中心を結ぶ光ファイバ穴中心線Ｌ２を、左右の嵌合ピン穴７の中心を結ぶ嵌合ピン穴中心線Ｌ１に対して、光ファイバ穴６と光ファイバ９との間のクリアランス量ｃの２分の１（ｃ／２）だけ上方向にずらしている。すなわち、Ｌ２のＬ１に対するずれ量をａとすると、ａ＝ｃ／２だけ上にずらす。例えばクリアランス量ｃ＝０．５μｍの場合、Ｌ２をＬ１に対してａ＝０．２５μｍだけ上にずらす。
そして、光ファイバ９は図示ように光ファイバ穴６の底（下部穴壁）に押し付け、その状態で光ファイバ穴６内に接着固定する。
この時、光ファイバ９の中心位置Ｏ３と光ファイバ穴６の中心位置Ｏ２との距離はｃ／２となるので、実際に組み立てた多心光コネクタにおける光ファイバ９の中心位置Ｏ３は嵌合ピン穴中心線Ｌ１上に位置することになる。
【００１６】
上記のように、各光ファイバ穴６にそれぞれ挿入固定された光ファイバ９がすべて、それぞれの光ファイバ穴６内において同じ特定方向（実施例では下方）に偏って穴壁（実施例では下部穴壁）に接触していることで、光ファイバ９の光ファイバ穴６内の位置はクリアランス量ｃとは無関係に確定することになる。なお、光ファイバ穴６の位置及び径の精度、並びに光ファイバ９の径の精度は十分高く管理されているので、光ファイバ９を光ファイバ穴６内の特定方向の穴壁に押し付ければ、光ファイバ穴６に対する光ファイバ９の位置は確定すると言える。
したがって、フェルール設計上の光ファイバの位置を、そのような光ファイバ穴６内の偏った位置（図５の位置）に設定することで、実際に組み立てた多心光コネクタにおける光ファイバ９の位置と設計上の位置とのずれを極力なくすことができる。これにより多心光コネクタ１の接続損失を一層低減することが可能となる。また、光ファイバ位置のバラツキが小さくなるので、多心光コネクタ製造の歩留りが向上する。
また、光ファイバ９の位置精度がクリアランス量ｃに影響されないので、光ファイバ穴６の許容寸法を大きく設定することが可能となり、光ファイバ９を光ファイバ穴６に挿入する作業が容易になるので、多心光コネクタ組立の作業性が向上する。
【実施例２】
【００１７】
図６〜図８に斜め研磨の多心光コネクタ、すなわち接続端面２２ａが傾斜面となっているフェルール２２を持つ多心光コネクタ２１に適用する場合の参考例を示す。なお、この多心光コネクタ２１に、本発明の実施例の多心光ファイバ４１を示す図１３、図１４における光ファイバ押付け用窓部４３及び光ファイバ押さえ部材４４を設けると、本発明の実施例の多心光ファイバ４１と同じ構成になる）。
【００１８】
ＭＴコネクタを概ね角筒形のコネクタハウジング内に、後方からバネで付勢された状態で移動可能に収容した構造の多心光コネクタは、JIS C 5982のＦ１３形多心光ファイバコネクタに相当し、ＭＰＯコネクタと称されているが、このＭＰＯコネクタに内蔵するＭＴコネクタとして上記のような斜め研磨の多心光コネクタ２１を用いる場合、接続端面が傾斜していることで、コネクタ接続時にバネで押し付けられた時、図８（ａ）に示すように、突き合わせたそれぞれの多心光コネクタ２１に、傾斜面に沿って反対側にずれる力が働く。この時、嵌合ピン穴７と嵌合ピン１１とのクリアランス量をｅとすると、嵌合ピン穴７の穴心Ｏ１と嵌合ピン１１の軸心Ｏ４とがｅ／２だけずれる。そこで、コネクタ接続時のこの傾斜方向のずれを吸収するために、図８（ｂ）に示すように、光ファイバ穴中心線Ｌ２’を嵌合ピン穴中心線Ｌ１に対して、ｅ／２だけ図８（ｂ）で上にずらす（図８（ａ）で傾斜鈍角方向にずらす）ことが行われている。これにより、図８（ａ）のようにずれた状態で突き合わせ接続された時に、それぞれの多心光コネクタの光ファイバ穴位置が正しく対向することになる。
【００１９】
そこで、斜め研磨の多心光コネクタ２１の場合に、上述の傾斜方向のずれを吸収するために、図７に示すように、光ファイバ穴中心線Ｌ２を嵌合ピン穴中心線Ｌ１に対して、光ファイバ穴６と光ファイバ９との間のクリアランス量ｃの２分の１（ｃ／２）に、嵌合ピン穴７と嵌合ピンとの間のクリアランス量ｅの２分の１（ｅ／２）を加えたクリアランス合計量だけ上方向にずらす（Ｌ２のＬ１に対するずれ量をａ’で示す）。すなわち、光ファイバ穴中心線Ｌ２を嵌合ピン穴中心線Ｌ１に対してａ’（＝ｃ／２＋ｅ／２）だけ上にずらす。
そして、光ファイバ９は図７のように光ファイバ穴６の底（下部穴壁）に押し付け、その状態で光ファイバ穴６内に接着固定する。
この時、光ファイバ９の中心位置Ｏ３と光ファイバ穴６の中心位置Ｏ２との距離はｃ／２となるので、そして、ａ’−Ｏ１Ｏ４＝（ｃ／２＋ｅ／２）−ｅ／２＝ｃ／２  なので、実際に組み立てた多心光コネクタにおける光ファイバ９の中心位置Ｏ３は左右の嵌合ピン１１の中心を結ぶ嵌合ピン中心線Ｌ４上に位置することになる。こうして、光ファイバ穴６と光ファイバ９との間のクリアランスに起因するコアずれだけでなく、斜め研磨の多心光コネクタに特有のコアずれをも吸収して、コアずれの少ない光コネクタ接続が可能となる。
【実施例３】
【００２０】
本発明では光ファイバ９を光ファイバ穴６の底（下部穴壁）に押し付けるが、参考例として図９に、光ファイバ９を光ファイバ穴６のコネクタ正面から見て右方の穴壁に押し付ける場合を示す。この場合、光ファイバ穴６は通常通りの位置に設けて、光ファイバ９を光ファイバ穴６内で右方の穴壁に押し付けてもよいし、光ファイバ穴６を、光ファイバ穴６と光ファイバ９との間のクリアランス量ｃの２分の１（ｃ／２）だけ左方にずらした位置にあけ、光ファイバ９を光ファイバ穴６の右方の穴壁に押し付けた状態で接着固定してもよい。
【実施例４】
【００２１】
図１〜図８のように、光ファイバ９を光ファイバ穴６の底に押し付ける方法として、参考例として図１０〜図１２に示した多心光コネクタ３１は、前方端面の嵌合ピン穴中心線より下部が突出する段差部３３を形成した段付きフェルール３２を用いて行っている。この突出した段差部３３は接続端面研磨時に除去される。段差部３３の段差面３３ａには、光ファイバ穴６の下半分が延長した形の光ファイバ用円弧溝６ａ、及び嵌合ピン穴７の下半分が延長した形の嵌合ピン用円弧溝７ａが形成されている。
この段付きフェルール３２の光ファイバ穴６に光ファイバ９を挿入し接着固定するに際して、光ファイバ穴６に挿入した光ファイバ９の先端を接続端面３２ａから突出させて、段差面３３ａ上の光ファイバ用円弧溝６ａの底に押し付けると、少なくとも光ファイバ９の先端は光ファイバ用円弧溝６ａの底に沿って平行になり、それに従動して、光ファイバ９の光ファイバ穴内側に位置する部分も光ファイバ穴６の底に沿うように押し付けられる。その状態で光ファイバ９を光ファイバ穴６内で接着固定する。次いで前方端面を研磨して段差部３３を除去すると、すべての光ファイバ９が光ファイバ穴６内で揃って下方に偏心した光フェルールが完成する。
【実施例５】
【００２２】
図１３、図１４に本発明の一実施例の多心光コネクタ４１を示す。この多心光コネクタ４１は、光ファイバ９を光ファイバ穴６の底に押し付ける方法として、フェルール４２に、フェルール上面に開口して前記複数の光ファイバ穴のそれぞれの長さ方向中間部分を露出させる態様の光ファイバ押付け用窓部を、光ファイバ押付け用窓部４３を形成して、前記光ファイバ押付け用窓部４３と接着剤充填窓５との間に前記複数の光ファイバ穴６の挿入側部分（接着剤充填窓側５の部分）を残す。この光ファイバ押付け用窓部４３を利用する。この光ファイバ押付け用窓部４３及び次に述べる光ファイバ押さえ部材４４を除けば、図１〜図５で説明した多心光コネクタ１と同じ構成である。
光ファイバ９を光ファイバ穴６に挿入し接着固定するに際して、前記光ファイバ押付け用窓部４３から挿入した光ファイバ押さえ部材４４により、光ファイバ穴６を挿通している光ファイバ９を押し下げて、光ファイバ９を光ファイバ穴６の底面に押し付ける。その状態で光ファイバ９を光ファイバ穴６に接着固定する。これにより、すべての光ファイバ９を光ファイバ穴６内で揃って下方に偏心した光コネクタが完成する。
【実施例６】
【００２３】
参考例であるが図１０〜図１２の方法で光ファイバ９を光ファイバ穴６の底に押し付けた場合、実際の光ファイバは湾曲しているので、光ファイバ穴６が長いと光ファイバ穴６の途中で光ファイバ９が湾曲する場合がある。そうすると、光ファイバ９が光ファイバ穴６内で浮いてしまい、光ファイバ軸が傾いてしまう。
このように光ファイバ９の軸が光ファイバ９の湾曲のために傾いてしまうのを防止するために、図１３、図１４に示した方法を併用することができる。すなわち、光ファイバ押付け用窓４３から挿入した光ファイバ押さえ部材４４で光ファイバ９を押し下げて、光ファイバ９の浮きをなくすことができる。その状態で接着固定することで、光ファイバ９が光ファイバ穴６内で浮くことによる光ファイバ９の軸の傾きを防止でき、接続損失が増すことを防止できる。
【図面の簡単な説明】
【００２４】
【図１】本発明の参考例としての多心光コネクタの斜視図である。
【図２】図１の多心光コネクタの縦断面図である。
【図３】図１の多心光コネクタの光ファイバ穴に光ファイバを挿入固定する状況を説明する図である。
【図４】図１の多心光コネクタの正面図である。
【図５】図４における嵌合ピン穴と光ファイバ穴と光ファイバとの位置関係を模式的に示した図である。
【図６】本発明を斜め研磨の多心光コネクタに適用する場合の参考例を示すもので、斜め研磨の多心光コネクタの斜視図である。
【図７】図６の多心光コネクタにおける嵌合ピン穴と光ファイバ穴と光ファイバとの位置関係を模式的に示した図である。
【図８】図７のような位置関係とする理由を説明するための図で、(a)は斜め研磨の多心光コネクタどうしを突き合わせた時の傾斜方向のずれに伴う嵌合ピンと嵌合ピン穴とのずれを説明する図、(b)はそのずれを吸収するための嵌合ピン穴と光ファイバ穴との位置関係を模式的に示した図である。
【図９】嵌合ピン穴と光ファイバ穴と光ファイバとの位置関係についての他の態様を模式的に示した図である。
【図１０】光ファイバを光ファイバ穴の底に押し当てる手段として、接続端面にテラス部を設けた参考例としての多心光コネクタの斜視図である。
【図１１】図１０の多心光コネクタの縦断面図である。
【図１２】図１０の多心光コネクタの正面図である。
【図１３】本発明の一実施例の多心光コネクタの斜視図である。
【図１４】図１３の多心光コネクタの縦断面図である。
【符号の説明】
【００２５】
１、２１、４１  多心光コネクタ
２、２２、４２  フェルール
２ａ、２２ａ、４２ａ  接続端面
４３  光ファイバ押付け用窓部
４４  光ファイバ押さえ部材
３  鍔部
４  心線挿入口
５  接着剤充填窓
６  光ファイバ穴
７  嵌合ピン穴
８  光ファイバガイド溝
９  光ファイバ
１０  光ファイバテープ心線
１１  嵌合ピン
ｃ  （光ファイバ穴と光ファイバとの間の）クリアランス
ｅ  （嵌合ピン穴と嵌合ピンとの間の）クリアランス
ａ、ａ’  光ファイバ穴中心線Ｌ２の嵌合ピン穴中心線Ｌ１に対するずれ量
Ｏ１  嵌合ピン穴の中心
Ｏ２  光ファイバ穴の中心
Ｏ３  光ファイバの中心
Ｏ４  嵌合ピンの中心
Ｌ１  嵌合ピン穴中心線
Ｌ２、Ｌ２’光ファイバ穴中心線
【図１】
0004785451.tif 000002
【図２】
0004785451.tif 000003
【図３】
0004785451.tif 000004
【図４】
0004785451.tif 000005
【図５】
0004785451.tif 000006
【図６】
0004785451.tif 000007
【図７】
0004785451.tif 000008
【図８】
0004785451.tif 000009
【図９】
0004785451.tif 000010
【図１０】
0004785451.tif 000011
【図１１】
0004785451.tif 000012
【図１２】
0004785451.tif 000013
【図１３】
0004785451.tif 000014
【図１４】
0004785451.tif 000015